(57)【要約】【課題】ＭＰＥＧ２ビデオで符号化された映像を受信して、復号して表示を行なう画像表示システムにおいて、映像信号の復号時に映像信号の特徴量を算出しているが、送信されずに破棄される。このためデコードした映像信号の特徴量を受信側で再び検出する必要がある。また映像信号の特徴量の検出は１フレーム（または１フィールド）の映像信号を入力後に行なう必要があるため、映像信号の調整は遅延が生じ、映像の表示と調整を同期させるには、映像信号を蓄積しておくためのバッファメモリなどが必要になる。【解決手段】送信側から映像信号の符号化時に算出している映像信号の特徴量を多重化して送信する。これにより映像信号の特徴量を受信側で算出する必要がなくなるため、特徴量の算出装置の削減は可能で、かつ遅延なく映像信号の調整が可能となる。【選択図】  図１
2004207800.tif 000002
【特許請求の範囲】
【請求項１】
多重化されたデータを処理する画像送信装置と画像表示装置とを備えた画像表示システムであって、
上記画像送信装置は、
映像信号を符号化して符号化映像データを生成する映像符号化手段と、
上記映像符号化手段内で上記映像信号の映像特徴量を検出する特徴検出手段と、
上記符号化映像データと上記映像信号の映像特徴量を多重化する多重化手段とを有し、
上記画像表示装置は、
受信した多重化されたデータから上記符号化映像データと上記映像信号の映像特徴量を抽出する逆多重化手段と、
抽出された上記符号化映像データを復号する映像復号手段と、
抽出された上記映像信号の映像特徴量から該映像信号の調整を行なうための制御信号を生成する制御データ生成手段と、
上記映像復号手段で復号された上記映像信号を上記制御信号で調整して表示する映像表示手段と、
を有することを特徴とする画像表示システム。
【請求項２】
上記画像表示手段は、復号された上記映像信号の映像特徴量を検出する映像特徴検出手段をさらに備え、
上記制御データ生成手段は、上記逆多重化手段で上記映像信号の映像特徴量が抽出されなかった場合には上記映像特徴検出手段で算出された映像特徴量を選択し、その他の場合は上記逆多重化手段で抽出された上記映像信号の映像特徴量を選択して、上記映像表示手段での上記映像信号の調整をするための制御信号を生成する請求項１に記載の画像表示システム。
【請求項３】
映像信号を符号化して符号化映像データを生成する映像符号化手段と、
上記映像符号化手段内で上記映像信号の映像特徴量を検出する特徴検出手段と、
上記符号化映像データと上記映像信号の映像特徴量を多重化する多重化手段と、
を備えたことを特徴とする画像送信装置。
【請求項４】
上記多重化手段で上記映像信号の映像特徴量を多重化するのはＭＰＥＧ２−トランスポートストリームパケットのユーザーデータ部である請求項３に記載の画像送信装置。
【請求項５】
上記多重化手段で上記映像信号の映像特徴量を多重化するのはＭＰＥＧ２−ビデオストリームのピクチャ層のユーザーデータ部である請求項３に記載の画像送信装置。
【請求項６】
映像信号を含む多重化されたデータから符号化映像データと映像信号の映像特徴量を抽出する逆多重化手段と、
抽出された上記符号化映像データを復号する映像復号手段と、
抽出された上記映像信号の映像特徴量から該映像信号の調整を行なうための制御信号を生成する制御データ生成手段と、
上記映像復号手段で復号された上記映像信号を上記制御信号で調整して表示する映像表示手段と、
を備えたことを特徴とする画像表示装置。
【請求項７】
上記映像表示手段は、
上記制御データ生成手段で生成された上記制御信号に基づいて、復号された上記映像信号の調整を行なう入力信号処理手段と、
光源を有し、上記入力信号処理手段で調整された映像信号を表示する受光型光変調手段と、
上記制御信号に基づいて、上記光源の輝度調整を行なう光源制御部と、
を備える請求項６に記載の画像表示装置。
【請求項８】
上記映像表示手段は、
上記制御データ生成手段で生成された上記制御信号に基づいて、符号化された上記映像信号の調整を行なう入力信号処理手段と、
上記入力信号処理手段で調整された映像信号を表示する発光型表示手段と、
を備える請求項６に記載の画像表示装置。
【請求項９】
上記多重化されたデータはＭＰＥＧ２−トランスポートストリームパケットのユーザーデータ部に上記映像信号の映像特徴量が多重化されている請求項６から８のいずれかに記載の画像表示装置。
【請求項１０】
上記多重化されたデータはＭＰＥＧ２−ビデオストリームのピクチャ層のユーザーデータ部に上記映像信号の映像特徴量が多重化されている請求項６から８に記載の画像表示装置。
【請求項１１】
復号された上記映像信号の映像特徴量を検出する映像特徴検出手段をさらに備え、
上記制御データ生成手段は、上記逆多重化手段で上記映像信号の映像特徴量が抽出されなかった場合には上記映像特徴検出手段で算出された映像特徴量を選択し、その他の場合は上記逆多重化手段で抽出された上記映像信号の映像特徴量を選択して、上記映像表示手段での上記映像信号の調整をするための制御信号を生成する請求項６から１０のいずれかに記載の画像表示装置。
【発明の詳細な説明】
【０００１】
【発明の属する技術分野】
本発明は、符号化された映像信号を復号して表示する画像表示システムに関し、特に、入力する映像信号の映像特徴量に応じて動的に映像信号の調整を行なう画像表示システムに関する。
【０００２】
【従来の技術】
周知のとおり、画像表示装置は、テレビジョン受像機やコンピュータ装置等の画面表示デバイスとして数多く使用されている。このうち、液晶表示装置に代表される受光型の装置は、非発光型である受光型光変調部（例えば、液晶パネル）に画像を表示するものであるので、ＣＲＴ等の発光型の表示装置に比べ、画面が暗くなってしまう。このため、通常、受光型の画像表示装置では、受光型光変調部の背面から光を照射して表示画面の視覚的輝度を上げる光源（例えば、バックライト）が設けられ、一般的なコントラストの調整に加えて光源の輝度調整が行なわれる。これによって表示画像が見易くなるようにしている。
【０００３】
基本的に、コントラストや光源の輝度レベルは、ユーザが手動で調整し固定的に設定されていたのであるが、これでは頻繁に手動操作を行なう必要があった。しかし、近年、より画像を見易くするために、随時変化する入力映像信号に応じてコントラストや光源（バックライト）の調整を動的に行なう方法が種々提案されている。
【０００４】
このコントラストや光源（バックライト）の調整を動的に行なう従来の方法としては、例えば、特開平５−１２７６０８号公報「液晶表示装置」に開示されているものが存在する。この公報に開示されている従来の調整方法は、入力映像信号の最大輝度レベル（以下、ＭＡＸと記す）と最小輝度レベル（以下、ＭＩＮと記す）とを検出し、最大輝度レベルと最小輝度レベルとの差が大きい場合にはコントラストを下げ、最大輝度レベルと最小輝度レベルとの差が小さい場合にはコントラストを上げる。また、入力映像信号の平均輝度レベル（以下、ＡＰＬと記す）を検出して、予め定めた基準輝度レベルに対し平均輝度レベルが高いときにはバックライトの輝度を下げ、低いときにはバックライトの輝度を上げることで、常に一定の表示輝度を得ようとするものである。
【０００５】
しかし、上記公報に開示されている従来の調整方法は、コントラストの調整（すなわち、信号振幅制御）と光源（バックライト）の輝度調整とを各々独立的に行なっている（すなわち、双方の調整に相関性がない）ため、十分なコントラスト感の改善ができないという問題があった。
【０００６】
上記問題を解決するために特許３２１５３８８号「画像表示装置及び画像表示方法」では、入力される映像信号に対して、動的に定めたコントラスト調整に伴って変化するＤＣレベルに基づいて、受光型光変調手段（例えば、液晶パネル）に画像表示した際の視覚上の輝度レベルが変化しないように光源の輝度調整が行なわれる。これによって、コントラストの調整（信号振幅制御）と光源の輝度調整との相関性を持たせることができ、光源の消費電力を増やすことなく視覚的なコントラスト感を改善させている。
【０００７】
上記画像表示装置の実施例は図４に示す通りである。図４は画像表示装置の概略機能ブロックであり、図５及び図６はある入力映像信号に対して本画像表示装置が行なう処理の概略の一例を示す図である。
【０００８】
図４によれば、テレビジョン受像機やコンピュータ装置等の映像信号処理回路（図示せず）から出力される映像信号が、入力映像信号として映像特徴検出手段１１２および入力信号処理手段１０７の信号振幅調整手段１０７Ａにそれぞれ入力される。映像特徴検出手段１１２は、入力映像信号の最大輝度レベル（ＭＡＸ）、最小輝度レベル（ＭＩＮ）と平均輝度レベル（ＡＰＬ）をそれぞれ検出する。
【０００９】
制御データ生成手段１１０は、映像特徴検出手段１１２が検出したＭＡＸ、ＭＩＮおよびＡＰＬを入力し、信号振幅調整利得（以下、Ｇａｉｎ（ゲイン）と記す）と映像信号のＤＣレベルシフト量（以下、Ｏｆｆｓｅｔ（オフセット）と記す））とを、以下のように求める。いま、映像特徴検出手段１１２が、入力映像信号に対して図５（ａ）または図６（ａ）に示すようなＭＡＸ，ＭＩＮ、およびＡＰＬを検出した場合を考える。
【００１０】
まず、制御データ生成手段１１０は、入力映像信号の最大振幅（ＭＡＸとＭＩＮの差）を処理回路の信号処理可能範囲、すなわち、ダインミックレンジ（具体的には、ＤＣレベル調整手段１０７Ｂの出力ダイナミックレンジ）幅まで増幅するためのＧａｉｎを、下記式に従って求める。
Ｇａｉｎ＝ダイナミックレンジ／（ＭＡＸ−ＭＩＮ）
例えば、図５において、入力映像信号の最大振幅がダイナミックレンジ幅に対して６７％である場合（図５（ａ））、制御データ生成手段１１０が求めるＧａｉｎは約１．５倍となる（図５（ｂ））。この求められたＧａｉｎは、信号振幅調整手段１０７Ａに出力される。
【００１１】
次に、制御データ生成手段１１０は、信号振幅調整手段１０７Ａにおいて増幅された入力映像信号（以下、増幅映像信号という）がダイナミックレンジ内に収まるＤＣレベルシフト量を与えるＯｆｆｓｅｔを求める。これは信号振幅調整手段１０７ＡがＡＰＬ基準（ＡＰＬのＤＣレベル固定）で増幅を行なうことに対応するものであり、増幅映像信号の振幅がダイナミックレンジ内に収まるように、増幅映像信号のＤＣレベルを変化させるのである。例えば、図５において、増幅映像信号の振幅がダイナミックレンジ下限から０．５Ｖ超えるときには、制御データ生成手段１１０が求めるＯｆｆｓｅｔは０．５Ｖとなる。この求められたＯｆｆｓｅｔは、ＤＣレベル調整手段１０７Ｂおよび光源制御手段１１１に出力される。
【００１２】
信号振幅調整手段１０７Ａは、入力映像信号と映像特徴検出手段１１２が出力するＡＰＬと制御データ生成手段１１０が出力するＧａｉｎとを入力する。そして、信号振幅調整手段１０７Ａは、ＡＰＬを基準としてＧａｉｎに従って入力映像信号を増幅する。（図５（ｂ）、図６（ｂ））。この増幅映像信号はＤＣレベル調整手段１０７Ｂに出力される。なお、信号振幅調整手段１０７Ａの出力ダイナミックレンジは、上記ＤＣレベル調整手段１０７Ｂの出力ダイナミックレンジに比べて十分に幅があるために、例えば、図５（ｂ）におけるダイナミックレンジ下限を超える信号は、負の信号で与えられる。
【００１３】
ＤＣレベル調整手段１０７Ｂは、信号振幅調整手段１０７Ａが出力する増幅映像信号と制御データ生成手段１１０が出力するＯｆｆｓｅｔとを入力する。そして、ＤＣレベル調整手段１０７Ｂは、増幅映像信号のＤＣレベルをＯｆｆｓｅｔの値分だけレベルシフトする（図５（ｃ）、図６（ｃ））。このレベルシフトした後の増幅映像信号（以下、出力映像信号という）は、受光型光変調手段１０８に出力され、画像として表示される。光源制御手段１１１は、制御データ生成手段１１０が出力するＯｆｆｓｅｔに従って、出力映像信号における視覚的輝度レベルが入力映像信号の輝度レベルと同等となるように、すなわち、受光型光変調手段１０８に画像表示したときのＡＰＬが入力映像信号でのＡＰＬと同じになるように、光源１０９に対して予め定めた輝度調整を行なう（図５（ｄ）、図６（ｄ））。
【００１４】
このように、ＤＣレベル調整手段１０７Ｂによって生じるＡＰＬの変動分を吸収することで、黒レベルに関しては、光源１０９の輝度が下がり、より視覚上のコントラスト感がアップする（図５（ｄ））。また、白レベルに関しては、光源１０９の輝度が上がることによって、より視覚上の白ピークが高くなるため、結果的に明るい部分をより際立たせることとなりコントラスト感が改善される（図６（ｄ））。
【００１５】
一方、特許３２７５８４８号に開示されるように、プラズマ表示装置等の発光型の表示装置において、ＡＰＬ等の映像信号の映像特徴量に基づいて、発光回数（または、発光時間、発光量）の調整と映像信号のゲイン調整とを連動して行なうことにより、輝度調整を自動的に制御して、画質改善が行なわれている。
【００１６】
【特許文献１】
特開平５−１２７６０８号
【特許文献２】
特開２０００−１７２２１８号
【特許文献３】
特許３２１５３８８号
【特許文献４】
特許３２７５８４８号
【非特許文献１】
Matsushita Technical Journal Vol.46 No.3 Jun. 2000 p12-19
【００１７】
【発明が解決しようとする課題】
しかし、ＭＰＥＧ２ビデオによる符号化映像データを復号して表示する装置に、上記特許第３２１５３８８号を適用した場合、画像表示装置の構成図は、例えば、図７のようになる。上記符号化映像データ１５１の送出時には、多重化手段１０４によりＭＰＥＧ２−トランスポートストリーム等でシステムエンコードされた符号化映像データ１５１が多重化データ１５３として送信される。ＭＰＥＧ２ビデオによる映像信号の符号化時には一般に画質改善のため前処理やレート制御等が行なわれるのであるが、このため、特徴検出手段１０３によりＭＡＸ／ＭＩＮ／ＡＰＬ等の映像特徴量が算出されているが、当該映像特徴量の情報は転送されずに破棄される。一方、受信した多重化データ１５３は逆多重化手段１０５で逆多重化され、符号映像データが分離される。この分離された符号化映像データが映像復号手段１０６で復号され、この復号された映像信号１５０のＭＡＸ／ＭＩＮ／ＡＰＬ等の映像特徴量は受信側の画像表示装置１０１の映像特徴検出手段１１２によって再び検出される必要がある。これは、ＭＰＥＧ２ビデオによる符号映像データを復号して表示する装置に特許３２７５８４８号に示されるプラズマ表示装置等の発光型の表示装置を適用しても同様である。
【００１８】
また、図７に示される画像表示装置１０１では、ＭＡＸ／ＭＩＮ／ＡＰＬ等の映像信号の映像特徴量の検出は１フレーム（または１フィールド）の映像信号１５０を入力した後に行なう必要があるため１フレーム（または１フィールド）の遅延が生じる。また、映像特徴検出手段１１２が映像信号の映像特徴量を検出した後に映像信号１５０の調整を入力信号処理手段１０７で行なうため、調整される映像信号１５０と検出された映像特徴量との間に１フレーム（または１フィールド）の遅延が生じる。これを避けるために、図８に示すように映像の表示と映像信号の調整とを同期させる場合には、例えば、入力信号処理手段１０７の前段に映像信号１５０を蓄積しておくための映像信号蓄積手段１１４（バッファメモリ等）が必要となる。これは、プラズマ表示装置等の発光型の表示装置においても同様である。
【００１９】
本発明は、上記従来の事情に基づいて提案されたものであって、受信側にバッファメモリ等の映像信号蓄積手段と映像特徴検出手段を備えなくても、復号後の映像信号の調整を遅延なく行ない表示が可能となる画像表示システム、画像送信装置及び画像表示装置を提供することを目的とする。
【００２０】
【課題を解決するための手段】
本発明は、上記目的を達成するために以下の手段を採用している。すなわち、本発明は、図１に示すように、多重化されたデータを処理する画像送信装置１００と画像表示装置１０１と備えた画像表示システムを前提としている。この画像送信装置１００は以下に説明する手段を有していることを特徴としている。
【００２１】
すなわち、映像符号化手段１０２は映像信号１５０を符号化して符号化映像データ１５１を生成し、特徴検出手段１０３は映像符号化手段１０２内で映像信号１５０の映像特徴量１５２を検出し、多重化手段２０４は符号化映像データ１５１と映像信号１５０の映像特徴量１５２を多重化する。
【００２２】
さらに、画像表示装置１０１は以下に説明する手段を有していることを特徴としている。すなわち、逆多重化手段２０５は受信した多重化データ１５３から符号化映像データ１５１と映像信号１５０の映像特徴量１５２を抽出し、映像復号手段１０６は抽出された符号化映像データ１５１を復号する。また、制御データ生成手段２１０は抽出された映像信号１５０の映像特徴量１５２から映像信号１５０の調整を行なうための制御信号を生成し、映像表示手段１１３は映像復号手段１０６で復号された映像信号１５０を制御信号で調整して表示する。
【００２３】
このように構成すれば、受信側の画像表示装置１０１内に１フレームまたは１フィールドの映像信号１５０のバッファメモリ等を設けず、かつ受信側で映像信号１５０の映像特徴量１５２の検出を行なわない場合でも、映像信号１５０の映像特徴量１５２に同期して、映像信号１５０を調整して表示することが可能となる。
【００２４】
【発明の実施の形態】
以下、本発明の実施の形態について、図面に従って詳細に説明する。尚、以下の実施の形態は、本発明を具体化した一例であって、本発明の技術的範囲を限定する性格のものではない。
（実施の形態１）
図１は、本実施の形態１における画像表示システムの概略機能ブロック図であり、以下その構成及び動作を上記従来と異なる点のみ説明する。
【００２５】
実施の形態１による画像表示システムは画像送信装置１００と画像表示装置１０１を備える。
【００２６】
画像送信装置１００に設けられている映像符号化手段１０２の特徴検出手段１０３が算出する入力された映像信号１５０の映像特徴量１５２に従って、当該映像符号化手段１０２は映像信号１５０をＭＰＥＧ２方式で符号化し、符号化映像データ１５１を生成する。
【００２７】
映像復号手段１０２の特徴検出手段１０３ではＭＡＸ／ＭＩＮ／ＡＰＬ等の映像信号１５０の映像特徴量１５２を検出する。映像信号１５０の映像特徴量１５２としては、ＭＡＸ，ＭＩＮ，ＡＰＬ、輝度の２乗の平均等があるが、ここでは、ＭＡＸ／ＭＩＮ／ＡＰＬを検出する。映像特徴量１５２の検出は１フレームまたは１フィールドのすべての画素をサンプリングして特徴量を検出するか、または、１フレーム内または１フィールド内の所定画素数のエリア毎の特徴量を代表点としてサンプリングして映像信号１５０の映像特徴量１５２を検出してもよい。ＭＡＸは１フレームまたは１フィールドごとのサンプリングした値の中で最も大きい値とし、ＭＩＮは１フレームまたは１フィールドごとのサンプリングした値の中で最も小さい値とする。また、ＡＰＬは１フレームまたは１フィールドごとのサンプリングした値の中で相加平均値とする。
【００２８】
次に、映像符号化手段１０２で生成された符号化映像データ１５１と映像信号の映像特徴量１５２は多重化手段２０４に入力される。この多重化手段２０４は当該符号化映像データ１５１、当該映像信号１５０の映像特徴量１５２、及びその他必要な制御データを多重化し、多重化データ１５３を生成する。この映像信号１５０の映像特徴量１５２は図２に示すように当該映像特徴量１５２に対応するフレームまたはフィールドの先頭データと同期して多重化される。具体的にはＭＰＥＧ２―ビデオストリームにおけるピクチャ層のユーザーデータ部（５３［０］，５３［１］等）や、ＭＰＥＧ２−トランスポートストリームパケット（６２［０］，６２［１］等）のユーザーデータ部に多重化する。
【００２９】
図２（ａ）はＭＰＥＧ２−ビデオストリームにおけるピクチャ層のユーザーデータ部（５３［０］，５３［１］等）に多重化する場合を示す。図２（ａ）では２つのピクチャ層ピクチャ［０］、ピクチャ［１］を示しているが、一般的にはさらに多くのピクチャ層が続くものである。また、説明のため代表としてピクチャ［０］を用いる。ＭＰＥＧ２−ビデオストリームにおけるピクチャ層（ピクチャ［０］）は、ピクチャヘッダ部５２［０］とピクチャデータ部５４［０］からなる。更にピクチャヘッダ部５２［０］とピクチャデータ部５４［０］の間には拡張情報としてユーザーデータ部５３［０］を挿入することが可能である。なお、ユーザーデータ部はユーザが自由に使用できる領域であり、ユーザが定義したデータを埋め込むことができる。上記特徴検出手段１０３で取得した映像信号１５０の映像特徴量１５２は、映像特徴量１５２を算出したピクチャ［０］と対応する、ピクチャヘッダ部５２［０］とピクチャデータ部５４［０］の拡張情報としてユーザーデータ部５３［０］に多重化される。なお、これらのことは他のピクチャ層についても同様である。
【００３０】
図２（ｂ）はＭＰＥＧ２−トランスポートストリームパケット（６２［０］、６２［１］等）のユーザーデータ部に多重化する場合を示す。図２（ｂ）では２つのピクチャ（ピクチャ［０］、ピクチャ［１］）を示しているが、一般的にはさらに多くのピクチャが続くものである。ＭＰＥＧ２−トランスポートストリームの場合、上記ピクチャ（ピクチャ［０］、ピクチャ［１］）は１つのパケットサイズが１８８バイトからなる複数のパケット６３で構成されている。また、説明のため代表としてピクチャ［０］を用いる。トランスポートストリームパケット６２［０］、６３はヘッダ部、アダプテーションフィールド部、ペイロード部からなる。上記特徴検出手段１０３で取得した映像信号１５０の映像特徴量１５２は上記パケット６２［０］のアダプテーションフィールド部内のユーザーデータ部に多重化される。また当該映像特徴量１５２が多重化されたトランスポートストリームパケット６２［０］は、対応する符号化映像データ１５１が多重化されたトランスポートストリームパケット６３の直前に送信される。なお、これらのことは他のピクチャについても同様である。
【００３１】
多重化データ１５３は画像送信装置１００から画像表示装置１０１に送信される。送信された多重化データ１５３は画像表示装置１０１内の逆多重化手段２０５に入力される。また、逆多重化手段２０５では多重化データ１５３は符号化映像データ１５１と映像信号１５０の映像特徴量１５２に分離される。さらに、逆多重化手段２０５で抽出された符号化映像データ１５１は映像復号手段１０６に入力され、当該符号化映像データ１５１は映像信号１５０に復号される。この復号された映像信号１５０は映像表示手段１１３内の入力信号処理手段１０７に入力される。
【００３２】
一方、逆多重化手段２０５で抽出された映像信号１５０の映像特徴量１５２は制御データ生成手段２１０に入力される。当該制御データ生成手段２１０では逆多重化手段２０５で抽出された映像信号１５０の映像特徴量１５２から映像表示手段１１３内の受光型光変調手段１０８に表示する画像の画質制御量の計算を行なう。このとき、符号化映像データ１５１と映像信号１５０の映像特徴量１５２は同時に逆多重化手段２０５から出力されているので、１フレームまたは１フィールドの遅延がなく画質制御量の計算が行なえる。画質制御量の計算結果は入力信号処理手段１０７及び映像表示手段１１３内の光源制御手段１１１に入力される。
【００３３】
上記画質制御量の計算は、例えば、前述の特許３２１５３８８に提案されているように映像特徴量１５２のＭＡＸ／ＭＩＮ／ＡＰＬから制御信号として例えばＧａｉｎ（信号振幅調整利得）およびＯｆｆｓｅｔ（ＤＣレベルシフト量）などを求める。また、前述した方法と同様に、例えば、入力信号処理手段１０７にはＧａｉｎとＯｆｆｓｅｔが、光源制御手段１１１にはＯｆｆｓｅｔがそれぞれ入力される。
【００３４】
また、入力信号処理手段１０７では制御データ生成部２１０で計算された画質制御量に応じて入力信号処理手段１０７に入力される映像信号１５０に対して信号振幅調整、ＤＣレベル調整等の処理を行なうことによって映像信号１５０の調整を行なう。調整された映像信号１６０は受光型光変調手段１０８に入力され、光源制御手段１１１は制御データ生成手段２１０から入力されるＯｆｆｓｅｔから光源１０９の輝度制御を行なう。
【００３５】
上記映像信号１５０の調整は、例えば、前述した特許３２１５３８８号に提案されている方法と同様に、入力した映像信号１５０に対して信号振幅調整及びＤＣレベル調整を行ない、光源１０９に対しては光源の輝度調整を行ない、受光型光変調手段１０８に表示される画像の視覚的輝度レベルが入力した映像信号１５０の輝度レベルと同等になるようにするものである。
【００３６】
なお、本実施の形態１では表示装置として受光型光変調手段に対して説明を行なったが映像信号１５０の符号化時に算出した映像信号１５０の映像特徴量１５２を多重化して送信することによって、プラズマ表示装置等の発光型表示装置に対しても同様に適用できる。
【００３７】
以上のように、実施の形態１によれば、画像送信装置１００が映像信号１５０の符号化時に算出した映像信号１５０の映像特徴量１５２を多重化して送信することによって、受信側の画像表示装置１０１内に１フレームまたは１フィールドの映像信号１５０のバッファメモリ等を設けず、かつ受信側で映像信号１５０の映像特徴量１５２の検出を行なわない場合でも、映像信号１５０の映像特徴量１５２に同期して、映像信号１５０を調整して表示することが可能となる。
（実施の形態２）
図３は、本実施の形態２における画像表示システムの概略機能ブロック図であり、以下その構成及び動作を上記従来及び実施の形態１と異なる点のみ説明する。
【００３８】
図３に示すように本発明の実施の形態２における画像表示システムは、上記実施の形態１における画像表示システムにおいて映像特徴検出手段１１２を追加した構成である。
【００３９】
図３によれば、映像復号手段１０６で復号された映像信号１５０は映像表示手段１１３内の入力信号処理手段１０７に入力され、また、映像特徴検出手段１１２は復号された映像信号１５０からＭＡＸ／ＭＩＮ／ＡＰＬ等の映像特徴量１５８を検出し制御データ生成手段３１０に入力する。
【００４０】
また、逆多重化手段２０５で映像信号１５０の映像特徴量１５２が抽出されている場合は、当該映像特徴量１５２は逆多重化手段２０５から制御データ生成手段３１０に入力される。制御データ生成手段３１０では逆多重化手段２０５から映像特徴量１５２が入力されているか否かを判定し、当該映像特徴量１５２が入力されておれば、この映像信号１５０の映像特徴量１５２を選択して、前述したのと同様に画質制御量の計算を行なう。一方、映像信号１５０の映像特徴量１５２が多重化されておらず、逆多重化手段２０５で映像信号１５０の映像特徴量１５２が抽出されない場合、制御データ生成手段３１０は映像特徴検出手段１１２が出力する映像信号１５０の映像特徴量１５８を選択して、上記と同様に画質制御量の計算を行なう。そして、逆多重化手段２０５から入力された映像信号１５０の映像特徴量１５２を選択した場合、制御データ生成手段３１０は１フレームまたは１フィールドの遅延がなく画質制御量の計算を行ないうる。また、制御データ生成手段３１０が映像特徴検出手段１１２が出力する映像信号１５０の映像特徴量１５８を選択した場合、表示される映像信号１５０に対して画質制御量の計算は１フレームまたは１フィールドの遅延を伴う。
【００４１】
なお、本実施の形態１では表示装置として受光型光変調手段に対して説明を行なったが映像信号１５０の符号化時に算出した映像信号１５０の映像特徴量１５２を多重化して送信することによって、または、当該映像特徴量１５２が多重化されておらず、画像表示装置１０１内に設けられた映像特徴検出手段１１２で映像特徴量１５８を検出することによって、プラズマ表示装置等の発光型表示装置に対しても同様に適用できる。
【００４２】
以上のように、本実施の形態２によれば、制御データ生成手段１１２において映像信号１５０の映像特徴量１５２が多重化されている否かの判定をするため、送信側の画像送信装置１００が特徴検出手段１０３を備え、当該特徴検出段１０３が検出する映像信号１５０の映像特徴量１５２を多重化データ１５３に多重化する装置であれば、映像信号１５０の映像特徴量１５２と同期して、映像信号１５０の調整して表示することが可能であり、送信側の画像送信装置１００が映像信号１５０の映像特徴量１５２を多重化しない装置でも、映像信号１５０の調整と表示される画像との間には遅延が生じるが、映像信号１５０を調整して表示することが可能となる。
【００４３】
【発明の効果】
以上のように本発明は、映像信号の符号化の過程で生成される映像信号の映像特徴量を符号化映像データと多重化して送信し、受信側で抽出される映像信号の映像特徴量を用いて映像信号の調整を行なう。これにより、受信側での映像信号の映像特徴量の検出手段を設ける必要がないため、受信側における映像信号の映像特徴量の検出手段の削減が可能で、また、受信側に映像信号のバッファなどが設けられなくても映像信号の調整が遅延なく行なわれ、映像信号の映像特徴量に同期して画像が表示され得る。
【００４４】
また、受信側に映像特徴検出手段を設けた場合には、送信側の画像送信装置が特徴検出手段を備えた装置でも、備えていない装置でも映像信号を調整して表示することが可能となる。送信側の画像送信装置が特徴検出手段を備え、映像信号の映像特徴量を符号化映像データに多重化して送信する装置の場合は、受信側に映像信号のバッファなどが設けられなくても映像信号の調整が遅延なく行なわれ、映像信号の映像特徴量に同期して画像が表示され得る
【図面の簡単な説明】
【図１】本発明の実施の形態１における画像表示システムの概略機能ブロック図である。
【図２】本発明の実施の形態１における送出時に符号化映像データと映像信号の映像特徴量を多重化する場合のデータ形式を示す図である。
【図３】本発明の実施の形態２における画像表示システムの概略機能ブロック図である。
【図４】従来の技術における画像表示装置の概略機能ブロック図である。
【図５】ある入力映像信号に対して、従来の画像表示装置が行なう処理の概略の一例を説明する図である。
【図６】ある入力映像信号に対して、従来の画像表示装置が行なう処理の概略の一例を説明する図である。
【図７】従来技術に特許３２１５３８８号を適用したＭＰＥＧ２ビデオによる符号化映像データを復号して表示する画像表示装置の概略機能ブロック図である。
【図８】従来技術に特許３２１５３８８号を適用したＭＰＥＧ２ビデオによる符号化映像データを復号して映像信号の調整に同期して表示する画像表示装置の概略機能ブロック図である。
【符号の説明】
５２［０］，５２［１］      ピクチャヘッダ部
５３［０］，５３［１］      ユーザーデータ部
５４［０］，５４［１］      ピクチャデータ部
６２［０］，６２［１］，６３      トランスポートストリームパケット
１００      画像送信装置
１０１      画像表示装置
１０２      映像符号化手段
１０３      特徴検出手段
１０４、２０４      多重化手段
１０５、２０５      逆多重化手段
１０６      映像復号手段
１０７      入力信号処理手段
１０８      受光型光変調手段
１０９      光源
１１０、２１０、３１０      制御データ生成手段
１１１      光源制御手段
１１２      映像特徴検出手段
【図１】
2004207800.tif 000003
【図２】
2004207800.tif 000004
【図３】
2004207800.tif 000005
【図４】
2004207800.tif 000006
【図５】
2004207800.tif 000007
【図６】
2004207800.tif 000008
【図７】
2004207800.tif 000009
【図８】
2004207800.tif 000010